(57)【特許請求の範囲】
【請求項１】
容器本体に挿入され容器本体内の溶液を容器本体外に吸い出すポンプユニットにおいて、
容器本体内に挿入される吸い込みパイプと、
この吸い込みパイプの上部に連通接続した延び方向に復帰可能な蛇腹状のベローズと、
ベローズの上部に接続してベローズを伸縮させ、前記吸い込みパイプを介して容器本体内の液をピストンヘッドより容器本体外に吸い出すピストン部とを備えてなり、
前記ピストン部は、前記ベローズの上部に連通接続する吸い出しパイプと、この吸い出しパイプに対して移動可能に挿通してこれに連通するプランジャーと、このプランジャーに連通接続するピストンヘッドとを備えるとともに、前記プランジャーに設けられた膨出部が、前記吸い出しパイプに設けられた溝に離脱可能に嵌合することにより、該ピストン部によるベローズの圧縮をなさせることなく前記ピストンヘッドが容器本体側に被着可能となるよう、伸縮可能に形成されていることを特徴とするポンプユニット。
【請求項２】
前記吸い出しパイプとプランジャーとの間には、ベローズの圧縮をなさせることなくピストンヘッドが容器本体側に被着する状態においてこれら吸い出しパイプとプランジャーとの相対的な移動を停止させる、固定機構が設けられていることを特徴とする請求項１記載のポンプユニット。
【請求項３】
前記請求項１又は２に記載のポンプユニットを備えたことを特徴とする容器。
【発明の詳細な説明】
【０００１】
【発明の属する技術分野】
本発明は、例えば、家庭で使用される洗髪剤等のポンプ式容器に用いられるポンプユニット及び容器に関するものである。
【０００２】
【従来の技術】
従来、例えば家庭で使用される洗髪剤や洗剤等を収容するための容器として、ポンプ式の容器が使用されている。このポンプ式の容器は、容器本体とこの容器本体に着脱可能に挿入されるポンプユニットとから構成されている。ポンプユニットは、通常ピストン部を押圧すると、ピストン部が復帰して液を容器本体から吸い上げ、次にピストン部を押すとピストン部の吐出口から液を出すようになっている。
【０００３】
この種のポンプユニットとしては、例えば、特開平１０−１０１１１５号公報、特開平１０−２１１９４７号公報に示されているように、ピストン部を押圧すると縮小する蛇腹管が手を離すと再び伸張する復帰動作を利用して液を蛇腹管内に吸い上げ、更にピストン部を押圧することで蛇腹管を縮小させて蛇腹管内の液を吐出口から出すものがある。そして、このようなピストンの押圧動作、復帰動作に応じて蛇腹管内に液を導き、あるいは、蛇腹管内から液を吐出するために、蛇腹管の上流側と下流側とには吸い込み弁と吐出弁とが設けられている。
【０００４】
しかしながら、前記従来のポンプユニットにおいては、容器が転倒した場合に、吸い込み弁や吐出弁が開いてしまうと吐出口から液が外部に流れ出てしまうという問題がある。
このような問題を解決するため従来では、吸い込み弁と吐出弁との少なくとも一方を、スリット部を設けた板状の弁として構成し、容器転倒時において流れ出ようとする液をスリット部で最小限に食い止めるようにしている。
【０００５】
図１２は、このように少なくとも一方の弁を、スリット部を設けた板状の弁として構成したポンプユニットの一例を示す図であり、図１２において符号Ｙは、液状の洗髪剤が収容される容器本体である。
この容器本体Ｙは合成樹脂で成形され筒上の上部開口部１０には雄ねじ部１１が形成されている。この上部開口部１０の雄ねじ部１１には、これに螺合する雌ねじ部１２を備えた合成樹脂製のキャップ１３が着脱自在に取り付けられ、このキャップ１３によりポンプユニットＶＵが取り付けられている。
【０００６】
このポンプユニットＶＵは容器本体Ｙの上部開口部１０に容器本体Ｙ内部に向かって取り付けられる合成樹脂のケース１４と、このケース１４に装着される合成樹脂製のガイド部材１５と、容器本体Ｙ内に挿入される合成樹脂製のベローズユニット１６と、このベローズユニット１６に装着される合成樹脂製のピストン部とを備えている。
前記ケース１４は容器本体Ｙの上部開口部１０の周囲に係止するフランジ部１７を有する筒状の部材で、底部に開口部１８を備えている。そして、このケース１４の上部内周面には雌ねじ部１９が形成され、ここにガイド部材１５が螺合している。
【０００７】
このガイド部材１５は、前記ケース１４の雌ねじ部１９に螺合する雄ねじ部２０と、この雄ねじ部２０の内側に、ピストン部の吸い出しパイプ２１を摺動自在に挿入する保持部２２をそなえている。雄ねじ部２０と保持部２２とは上部で一体となり互いに離反する方向に付勢されている。
また、保持部２２及び雄ねじ部２０の上部は側方に延出して下方に屈曲形成されて前記キャップ１３の上面にフランジ部２３を延出し、このフランジ部２３により前記キャップ１３の抜け方向の移動を阻止するようになっている。そして、このガイド部材１５の外周にはロック用ねじ部２４が形成され、ピストン部に設けられたキャップ状の押圧部雌ねじ部２６に螺合して、ピストン部を保管位置でロックするようになっている。
【０００８】
前記ベローズユニット１６は、図１３に示すように、前記容器本体Ｙに挿入され容器本体Ｙの内部の溶液を容器本体Ｙ外に吸い出すものである。前記ベローズユニット１６には、容器本体内に挿入され、下端の吸い込み端32が斜めにカットされた吸い込みパイプ２７が設けられ、この吸い込みパイプ２７の上部に、延び方向に復帰可能な蛇腹状のベローズ２８が吸い込みパイプ２７に連通接続されている。
前記ベローズ２８は、延びの方向、つまり内部の体積が増加する方向に復帰可能な合成樹脂製部材で、所定のバネ定数を備え、内部が溶液収納部となっている。
【０００９】
また、ベローズ２８の上部に前記ピストンの吸い出しパイプ２１が接続される接続部２９が一体成形され、前記ベローズ２８の上流、つまり吸い込みパイプ２７とベローズ２８との間に、容器本体Ｙからベローズ２８内への溶液の流入のみを許容する弁Ｂが設けられ、一方、ベローズ２８の下流、つまりベローズ２８と接続部２９との間にベローズ２８内からピストン部の吸い出しパイプ２１側への溶液の流出のみを許容する逆止弁Ｇが設けられている。そして、この逆止弁Ｇの下流に後述するスリットプレート３９が設けられている。
【００１０】
前記弁Ｂは吸い込みパイプ２７とベローズ２８とに一体成形された弁室３０を備え、逆止弁Ｇは上記吸い出しパイプ２１の接続部２９とベローズ２８とに一体成形された弁室３１を備え、各弁室３０、３１内には、吸い込みパイプ２７の吸い込み端３２あるいは上記吸い出しパイプ２１の接続部２９の端部から挿入可能な弁体３３が挿入されている。
ここで、この弁体３３は合成樹脂製からなる球形の部材であるが、各開口部Ｋを閉塞できれば、おわん型や、半球状等であってもよく、その形状は限定されるものではない。
【００１１】
ここで、図１４に示すように、弁Ｂの吸い込みパイプ２７と開口部Ｋとの間には突条３４が形成され、吸い込みパイプ２７の吸い込み端３２から挿入される弁体３３をある程度の力で挿入しないと押し込めず、かつ、弁体３３の抜けを防止するようになっている。
そして図１３に示すようにこれら弁Ｂ又は逆止弁Ｇには、その下流であって弁室３０、３１内に弁体３３の浮き上がり防止用の突起部３５が形成されるものである。この突起部３５も弁Ｂ、逆止弁Ｇを形成する場合に同時成形されるものである。なお、弁体３３の浮き上がりを防止できれば、この突起部３５に代えて弁室３０、３１自体の断面形状を弁体３３が浮き上がらないような形状、例えば、楕円、四角形、三角形等の異形断面にすることも可能である。
【００１２】
ここで、弁Ｂとベローズ２８下部との境界部分には前記ケース１４の開口部１８（図１２に示す）に係止するくびれ部３６が形成され、前記ケース１４に対してベローズ２８、つまりベローズユニット１６を係止してベローズ２８が圧縮された場合に、これを下側から支持できるようになっている。
一方、前記逆止弁Ｇと吸い出しパイプ２１の接続部２９との境界部分には段差部３７が形成され、この段差部３７が前述したガイド部材１５の保持部２２の下端に係止して、延び方向に変移するベローズ２８の上方部の移動を阻止するストッパーとして機能している。
このように構成された吸い込みパイプ２７、弁Ｂ、ベローズ２８、逆止弁Ｇ、接続部２９等が、ブロー成形により一体で成形され、各弁体３３が弁Ｂ及び逆止弁Ｇの弁室３０、３１に押し込まれて、ベローズユニット１６が構成されている。
【００１３】
図１５に示すように、前記吸い出しパイプ２１の接続部２９の端部には、接続部２９の端部と吸い出しパイプ２１の差込部３８に形成された段差部Ｄとの間に、スリットプレート（プレート）３９が介装されている。なお、このスリットプレート３９を接続部２９に対して取り付ける場合には、そのまま挿入するだけでもよいが、接着、溶着、熱かしめ等様々な方法でこれを取り付けることができる。
【００１４】
上記スリットプレート３９は、接続部２９と吸い出しパイプ２１とでその周囲を挟持され弾性力を有する薄板状の部材で、中央寄りの薄肉部４０には図１６に示すように一字状のスリット（絞り部）Ｓが形成されている。
前記薄肉部４０は周囲からアール部Ｒにより漸次薄く形成され、部品の性質上繰り返し荷重にたいしても応力集中が起きないようになっている。このスリットＳで分断された２つの部分Ｓ１，Ｓ２が溶液の圧力により、鎖線で示すように弾性変形して撓むことができるようになっており、溶液の圧力が上記２つの部分Ｓ１、Ｓ２の弾性力を上回ったときに溶液を一気に吐出するようになっている。
また、この２つの部分Ｓ１、Ｓ２の弾性力は容器本体Ｂが倒れ、弁Ｂと逆止弁Ｇが開いたときには撓まず、溶液がスリットＳから流れ出るのを防止できる程度に、薄肉部４０の板厚、スリットＳの長さが設定されている。
【００１５】
そして、図１２に示すように構成されたベローズユニット１６の上部の接続部２９に、ガイド部材１５に対して摺動自在なＬ字形状のピストン部の吸い出しパイプ２１の差込部３８が外側から圧入され、このピストンがベローズユニット１６に取り付けられポンプユニットＶＵが組み立てられている。
ここで吸い出しパイプ２１の屈曲部には、前述したキャップ状の押圧部２５が形成され、押圧部２５において屈曲する吸い出しパイプ２１の水平に延びる端末４２がやや斜め下方へ屈曲し、吐出端４３で開口している。
この押圧部２５と吸い出しパイプ２１とで構成されたピストン部の押圧部２５を押圧することで、下部がケース１４に規制されたベローズ２８を押し縮め容器本体Ｙ内の溶液を吸い出すのである。
【００１６】
上記例の作用を説明する。図１２に示すように、ベローズ２８内に溶液がない状態では、ピストン部の押圧部２５を下側に押すと、図１７に示すようにベローズ２８が圧縮されるのにともない、ベローズ２８内の空気が押し出されるので、弁Ｂの弁体３３は開口部Ｋを閉じるが、中の空気を吐き出そうと逆止弁Ｇの弁体３３は開口部Ｋを開き、空気をピストン部の吸い出しパイプ２１から吐き出す。
そして、ピストン部の押圧部２５をはなすと、ベローズ２８は延び方向に復帰しようとするのでベローズ２８内は負圧になる。すると、逆止弁Ｇの弁体３３は図１２中鎖線に示すように開口部Ｋを開いて容器本体Ｙからベローズ２８内へと溶液を吸い込み、ベローズ２８内に満たされる（図１２の状態）。
【００１７】
次に、図１８に示すように再度ピストン部の押圧部２５を押すとベローズ２８内の溶液は、弁Ｂの弁体３３が開口部Ｋを閉塞することにより容器本体Ｙ側への移動を阻止されるため、圧縮されるベローズ２８により溶液は逆止弁Ｇの弁体３３を押し上げ開口部Ｋを開いて押し出される。そして、押し出されたピストン部内の溶液は、弁Ｂにより容器本体Ｙへは逆流せずピストン部の吸い出しパイプ２１を経て、吐出端４３から外へ押し出される。
【００１８】
ここで、図１８に示すように、溶液が逆止弁Ｇを開いて吸い出しパイプ２１から出ようとするときには、スリットプレート３９の部分において、スリットＳで分断された２つの部分Ｓ１、Ｓ２がスリットＳの開口面積を拡大する方向に圧力を受ける。そして、溶液の圧力が上記各部分Ｓ１、Ｓ２の弾力性を上回った場合に、上記２つの部分Ｓ１、Ｓ２が同図に示すように弾性変形して溶液を一気に吐出することが可能になるため、溶液を一度にすばやく吸い出すことができる。
また、このポンプユニットＶＵを取り付けた容器が倒れた場合に弁Ｂと逆止弁Ｇが開いても、このスリットプレート３９により溶液の外部への流出を阻止することができるメリットがある。なお容器が転倒してない場合に、ベローズ２８内の圧力が上昇することが原因で、ベローズ２８内の溶液が押し出されようとしても、スリットプレート３９によりこれを防止できるため、容器が転倒していない状態での吐出端４３からの溶液の流出も防止できる。
【００１９】
したがって、溶液が吸い出しパイプ２１の端部４２の吐出端４３で流出を起すことがなく、使用し易いというメリットがある。また、容器転倒時を考慮して、このスリットプレートＳで分断された２つの部分Ｓ１、Ｓ２の弾性力をスリットプレート３９の薄肉部４０の板厚やスリットＳの長さで調整することが可能となるため、設計の自由度が高い。
【００２０】
ここで、図１９は、容器の使用前での移送時などにおける保存状態を示すものであり、この保存状態では、前述したようにピストン部の押圧部２５の雌ねじ部２６をガイド部材１５のロック用ねじ部２４に螺合するため、このときピストン部の押し込みストロークは最大となる。
そして、このように保管時においては、これ以上ピストン部は押し込まれることがないため、ピストン部の押圧による溶液の流出がなく、またこのような保管状態で容器が転倒した場合にも、前述したようにスリットプレート３９によって溶液の流出が防止されたものとなっている。
【００２１】
【発明が解決しようとする課題】
ところで、このような容器では、前記の保存時として、例えば製品の出荷時などにおける移送時などでは、梱包上のロスがないように、図１９に示したようにピストン部を押し下げた状態で梱包するのが普通である。
しかしながら、このようにピストン部を長時間押し下げ、ベローズ２８を圧縮させた状態のままでいると、ベローズ２８がへたってしまうことにより、使用時、ピストン部によるベローズ２８の圧縮を解除しても、ベローズ２８が充分に復帰せず、その結果溶液を充分吸い込むことができず、操作性が著しく低下してしまうといった不都合を生じてしまうことがある。
【００２２】
本発明は前記事情に鑑みてなされたもので、その目的とするところは、移送時などの非使用時において液の流出を防止することができ、しかもベローズの長期間に亘る圧縮に起因して操作性が低下するのを防止した、ポンプユニット及び容器を提供することにある。
【００２３】
【課題を解決するための手段】
本発明のポンプユニットでは、容器本体に挿入され容器本体内の溶液を容器本体外に吸い出すポンプユニットにおいて、容器本体内に挿入される吸い込みパイプと、この吸い込みパイプの上部に連通接続した延び方向に復帰可能な蛇腹状のベローズと、ベローズの上部に接続してベローズを伸縮させ、前記吸い込みパイプを介して容器本体内の液をピストンヘッドより容器本体外に吸い出すピストン部とを備えてなり、前記ピストン部は、前記ベローズの上部に連通接続する吸い出しパイプと、この吸い出しパイプに対して移動可能に挿通してこれに連通するプランジャーと、このプランジャーに連通接続するピストンヘッドとを備えるとともに、前記プランジャーに設けられた膨出部が、前記吸い出しパイプに設けられた溝に離脱可能に嵌合することにより、該ピストン部によるベローズの圧縮をなさせることなく前記ピストンヘッドが容器本体側に被着可能となるよう、伸縮可能に形成されていることを前記課題の解決手段とした。
【００２４】
このポンプユニットによれば、ピストン部が、該ピストン部によるベローズの圧縮をなさせることなくピストンヘッドが容器本体側に被着可能となるよう、伸縮可能に形成されているので、移送時などの非使用時において、ピストン部を、ベローズの圧縮をなさせることなく縮めてピストンヘッドを容器本体側に被着させることにより、液の流出が防止され、またベローズの長期間に亘る圧縮に起因して操作性が低下するのも防止される。
【００２５】
また、このポンプユニットにおいては、前記ピストン部が、ベローズの上部に連通接続する吸い出しパイプと、この吸い出しパイプに対して移動可能に挿通してこれに連通するプランジャーと、このプランジャーに連通接続するピストンヘッドとを備えてなり、前記吸い出しパイプとプランジャーとの間に、ベローズの圧縮をなさせることなくピストンヘッドが容器本体側に被着する状態においてこれら吸い出しパイプとプランジャーとの相対的な移動を停止させる、固定機構が設けられているのが好ましい。
【００２６】
このようにすれば、固定機構によって吸い出しパイプとプランジャーとの相対的な移動が確実に停止し、ベローズの圧縮をなさせることなくピストンヘッドが容器本体側に被着するようになるので、容器本体内の液の流出が確実に防止され、またベローズの長期間に亘る圧縮に起因して操作性が低下するのも確実に防止される。
【００２７】
本発明の容器では、前記ポンプユニットを備えたことを前記課題の解決手段とした。
この容器によれば、前記ポンプユニットを備えたことにより、液の流出が防止され、またベローズの長期間に亘る圧縮に起因して操作性が低下するのも防止されたものとなる。
【００２８】
【発明の実施の形態】
以下、本発明を詳しく説明する。
図１及び図２は本発明のポンプユニット及び容器を示すもので、これらの図において符号Ｙは液状の洗髪剤が収容された容器本体である。
この容器本体Ｙは合成樹脂で成形され筒上の上部開口部５０には雄ねじ部５１が形成されている。この上部開口部５０の雄ねじ部５１には、これに螺合する雌ねじ部５２を備えた合成樹脂製のキャップ５３が着脱自在に取り付けられ、このキャップ５３によりポンプニットＶＵが取り付けられている。
【００２９】
このポンプユニットＶＵは容器本体Ｙの上部開口部５０に容器本体Ｙ内部に向かって取り付けられる合成樹脂製ケース５４と、このケース５４に装着される合成樹脂製のガイド部材５５と、容器本体Ｙ内に挿入される合成樹脂製のベローズユニット５６と、このベローズユニット５６に装着される合成樹脂製のピストン部とを備えている。なお、ピストン部は、ピストンヘッドＰと、このピストンヘッドＰと一体に形成されてこれに連通接続するプランジャー６６と、このプランジャー６６を移動可能に挿通させてこれに連通する吸い出しパイプ６１とからなっている。
前記ケース５４は容器本体Ｙの上部開口部５０の周囲に係止するフランジ部５７を有する筒状の部材で、底部に開口部５８を備えている。そして、このケース５４の上部内周面には雌ねじ部５９が形成され、ここにガイド部材５５が螺合している。
【００３０】
このガイド部材５５は、前記ケース５４の雌ねじ部５９に螺合する雄ねじ部６０と、この雄ねじ部６０の内側に、ピストン部の吸い出しパイプ６１を摺動自在に挿入する保持部６２を備えている。雄ねじ部６０と保持部６２とは上部で一体となり互いに離反する方向に付勢されている。
【００３１】
前記ベローズユニット５６は、前記容器本体Ｙに挿入され容器本体Ｙの内部の溶液を容器本体Ｙ外に吸い出すものである。前記ベローズユニット５６には、容器本体Ｙ内に挿入され、下端の吸い込み端が斜めにカットされた吸い込みパイプ６３が設けられ、この吸い込みパイプ６３の上部に、延び方向に復帰可能な蛇腹状のベローズ６４が吸い込みパイプ６３に連通接続されている。
前記ベローズ６４は、延びの方向、つまり内部の体積が増加する方向に復帰可能な合成樹脂製部材で、所定のバネ定数を備え、内部が溶液収納部となっている。
【００３２】
また、ベローズ６４の上部に前記ピストン部の吸い出しパイプ６１が接続される接続部６５が一体成形され、前記ベローズ６４の上流、つまり吸い込みパイプ６３とベローズ６４との間に、容器本体Ｙからベローズ６４内への溶液の流入のみを許容する弁Ｂが設けられ、一方、ベローズ６４の下流、つまりベローズ６４と接続部６５との間にベローズ６４内からピストン部の吸い出しパイプ６１側への溶液の流出のみを許容する逆止弁Ｇが設けられている。なお、この実施形態では、図１２〜図１９に示した例における球状の弁体３３に代えて、円錐状の弁体３３’を用いているが、弁体の形状が相違しても弁の本質的な機能に変わるところがないのは云うまでもない。
【００３３】
前記ガイド部材５５の保持部６２に挿入される前記吸い出しパイプ６１は、その中央部は拡開されその下端が前記ベローズ６４の接続部６５に接続され、この吸い出しパイプ６１内を摺動するプランジャー６６が吸い出しパイプ６１内に摺動自在（移動可能）に挿入されている。
前記吸い出しパイプ６１の上方部の内側には、図２、図３に示すように溝６１ａが形成されている。また前記プランジャー６６の下端には膨出部６６ａが形成されている。このプランジャー６６の膨出部６６ａは、前記吸い出しパイプ６１に形成されている溝６１ａに嵌合したり、嵌合状態から離れることができるものである。
【００３４】
そして、容器を例えば製品の出荷時などにおける移送時などにおいて梱包する場合、図４に示すように、前記ピストンヘッドＰを押し下げると、このピストンヘッドＰと一体のプランジャー６６が前記吸い出しパイプ６１内を摺動しながら下方へ移動する。この時、プランジャー６６の下端に形成されている膨出部６６ａは、図４に示すように、プランジャー６６を縮径させるように弾性変形し、前記吸い出しパイプ６１に形成された溝６１ａを乗り越えることができる。この溝６１ａを乗り越えた前記プランジャー６６は、図４に示すように前記吸い出しパイプ６１内の下側に形成された別の溝または係合部（図示せず）に係合し、これによって吸い出しパイプ６１内に格納される。ここで、このようなプランジャー６６の下端に形成されている膨出部６６ａと、吸い出しパイプ６１内の下側に形成された溝または係合部とにより、本発明における固定機構が構成されている。
【００３５】
このように、吸い出しパイプ６１内にプランジャー６６を収納した状態で各部品を組み立てることにより、ベローズ６４を圧縮してこれを収縮させることなく、ピストンヘッドＰを容器の口すなわち容器本体側に螺合（被着）させることにより、ピストンヘッドＰを押し下げた状態に固定することができる。その結果全体の長さが短くなって上方への突出量が減少するため、梱包上の収容効率のロスを阻止することができる。また、このようにプランジャー６６が吸い出しパイプ６１内に押し込まれることにことにより、ピストンヘッドＰを押し下げた分がこの押し込み長さに吸収され、これによってベローズ６４の変形が防止される。したがって、ベローズ６４は弾性変形状態で維持されることにより、その弾性力が損なわれることがなく、その結果、ベローズ６４の復帰に支障が生じることが確実に防止される。
【００３６】
また容器を使用するときは、図２に示すように、ピストンヘッドＰを引き上げると、このピストンヘッドＰと一体のプランジャー６６が前記吸い出しパイプ６１内を上方へ摺動する。このプランジャー６６の上方への摺動により、プランジャー６６の膨出部６６ａは、前記吸い出しパイプ６１の内側に形成された溝６１ａに弾性的に入り込み、膨出部６６ａが溝６１ａと嵌合する。
この嵌合した状態でピストンヘッドＰを押圧すれば、プランジャー６６、吸い出しパイプ６１が一体に下がってベローズ６４を圧縮することができる。この使用状態では、プランジャー６６を押し下げても通常のポンプとして使用する場合の圧縮により生じるベローズ６４のばね力に打ち勝つような嵌合状態にしておけば、この嵌合状態が外れることはない。
【００３７】
なお、図４に示すように吸い出しパイプ６１内にプランジャー６６を予め収容しておくのではなく、吸い出しパイプ６１とプランジャー６６とを一旦嵌合状態（通常のポンプの使用が可能な状態）にした後、梱包のためにプランジャー６６を吸い出しパイプ６１内へ押し込もうとする場合、通常の吸い出し動作より大きなストロークでベローズ６４を圧縮することとし、この圧縮によりベローズ６４に生じる弾性力（ポンプとして使用する場合より大きな力）によって前記嵌合状態が外れるように膨出部６６ａと溝６１ａとの嵌合状態を設定するようにしてもよい。このような方式においても、前述の場合と同様に、プランジャー６６が吸い出しパイプ６１内に収納され、したがって、ベローズ６４を圧縮することなく、ピストンヘッドＰを容器の口に固定して、梱包効率を高めることができる。
【００３８】
また、本発明における固定機構としては、前述したようなプランジャー６６の下端に形成されている膨出部６６ａと、吸い出しパイプ６１内の下側に形成された溝または係合部との無理嵌め方式に代えて、種々の構成を採用することが可能である。
例えば、プランジャー６６と吸い出しパイプ６１とのうちの一方に凸部を形成し、他方に凹部または切欠を形成し、プランジャー６６および吸い出しパイプ６１を相対的に回動させることにより、前記凸部を凹部または切欠に係合させ、これによってプランジャー６６と吸い出しパイプ６１との相対的な移動を停止させる回動方式を採用してもよい。
【００３９】
また、プランジャー６６と吸い出しパイプ６１とのうちの一方に雄ねじを形成し、他方に雌ねじを形成し、これらを螺合させることにより、その伸縮を可能にすると同時に、プランジャー６６と吸い出しパイプ６１との相対的な移動を停止させる螺子方式を採用してもよい。なお、この場合の相対的な移動の停止とは、回転力を与えない状態において移動が停止されていることを意味している。すなわち、人為的でない通常の外力ではプランジャー６６と吸い出しパイプ６１との間に回転力が与えられないことから、ねじによる螺着状態は本発明においては部材間（プランジャー６６と吸い出しパイプ６１との間）の移動が停止されているものとする。
このような回転方式、あるいは螺子方式を固定機構として採用した場合、この固定機構によってピストンヘッドＰを容器の口（容器本体側）に被着した状態で固定することも可能となる。その場合には、ピストンヘッドＰにねじ部を形成し、このピストンヘッドＰを螺合によって容器の口（容器本体側）に固定する必要がなくなることから、ピストンヘッドＰへのねじ部の形成は不要となる。
【００４０】
図５に示すものは、横断面がＣ形をなすカラーを使用し、このＣ形カラーを使用時に嵌め込み、梱包時には取り外すようにしたものである。
図６はこのＣ形カラーの説明図で、Ｃ形カラー６７は、円筒形をなし、前記プランジャー６６を外側から覆合し易くするために、円筒の一部は切断され切断部６７ａが形成されたＣ形状で弾性をもたせている。
【００４１】
図５に示すように、この容器を使用するときには、前記プランジャー６６をＣ形カラー６７で覆合しながら、このＣ形カラー６７を前記吸い出しパイプ６１と前記ピストンヘッドＰとの間に嵌合させる。この嵌合した状態でピストンヘッドＰを押圧すると、Ｃ型カラー６７が存在するため、前記プランジャー６６、吸い出しパイプ６１が互いに摺動することができない。したがって、ピストンヘッドＰを押し下げることにより、吸い出しパイプ６１が押し下げられてベローズ６４（図１参照）を圧縮することができる。
これに対して、この容器を梱包する場合は、図７に示すように、前記プランジャー６６からＣ形カラー６７を取り離せば、プランジャー６６は吸い出しパイプ６１内を摺動して下方へ降下し前記吸い出しパイプ６１内に格納される。そして、この状態でキャップ53を容器の口にねじ込むことにより、格納状態で固定することができる。
【００４２】
図８に示されたものは、Ｔ形ストッパーを使用したもので、このＴ形ストッパーを使用時にはピストンヘッドＰ内のシリンダー部７０へ挿入されて嵌合し、梱包時にはピストンヘッドＰから離脱するようにしたものである。
図９はこのＴ形ストッパーをピストンヘッドＰに取り付けた状態における説明図で、Ｔ形ストッパー６８は、前記ピストンヘッドＰの頂面上に位置する円盤６８ａと、この円盤６８ａの中央部から垂下されて設けられている溶液流入空間６８ｂとを有している。この溶液流入空間６８ｂの上部に溶液流出口６８ｃが形成され、容器本体Ｙから溶液流入空間６８ｂを上昇してきた溶液はこの溶液流出口６８ｃを経てピストンヘッドＰの開口部４２ａに連通されて、外部に突出される。
【００４３】
また溶液流入空間６８ｂの下方表面を嵌合突起６８ｄが取巻いて設けられている。この嵌合突起６８ｄは、図１０に示すように、前記ピストンヘッドＰに形成されている嵌合溝６９に圧入的に係合することにより、Ｔ形ストッパー６８が前記ピストンヘッドＰから抜けるのを防止している。さらに前記円盤６８ａ下面に突起６８ｅが突設され、この突起６８ｅが前記ピストンヘッドＰとＴ形ストッパー６８とを回転方向へ互いに位置決めすべく係合している。すなわち、この突起６８ｅをピストンの上面の凹部へはめ込むことにより、両者が連結されるとともに、内部の溶液流入空間６８ｂの溶液流出口６８ｃと開口部４２ａとを相対的に位置決めして、溶液が流通することができる。
また、容器を梱包する場合には、前記Ｔ形ストッパー６８をピストンヘッドＰから取り外せば良い。すなわち、Ｔ形ストッパーを外せば、図１１に示すように、前記吸い出しパイプ６１がシリンダー７０内に収容され、したがって、吸い出しパイプ６１が押し下げられてベローズ６４を圧縮することがない。
【００４４】
そして容器使用時においては、このような構成のＴ形ストッパー６８を、図８に示すように、前記ピストンヘッドＰのシリンダー７０へ挿入し、Ｔ形ストッパー６８の溶液流入管６８ｂの下端を前記吸い出しパイプ６１の上端に載置させた状態で、Ｔ形ストッパー６８の円盤６８ａを下方へ押圧すれば、吸い出しパイプ６１を介してベローズ６４を圧縮することができる。
【００４５】
【発明の効果】
以上説明したように本発明のポンプユニットによれば、ピストン部が、該ピストン部によるベローズの圧縮をなさせることなくピストンヘッドが容器本体側に被着可能となるよう、伸縮可能に形成されているので、移送時などの非使用時において、ピストン部を、ベローズの圧縮をなさせることなく縮めてピストンヘッドを容器本体側に被着させることにより、液の流出を防止することができ、またベローズの長期間に亘る圧縮に起因して操作性が低下するのも防止することができる。
【００４６】
本発明の容器によれば、前記ポンプユニットを備えたことにより、液の流出を防止することができ、またベローズの長期間に亘る圧縮に起因して操作性が低下するのも防止することができる。
【図面の簡単な説明】
【図１】  本発明の容器の一実施形態例を示す図であり、ポンプユニットを装着した全体断面図である。
【図２】  図１に示したポンプユニットの容器の使用時の断面図である。
【図３】  図２における一部断面説明図である。
【図４】  図１に示したポンプユニットの容器の梱包時の断面図である。
【図５】  ポンプユニットの容器の他の例の使用時の断面図である。
【図６】  Ｃ形カラーの斜視図である。
【図７】  図５に示した容器の梱包時の断面図である。
【図８】  ポンプユニットの容器の他の例の使用時の断面図である。
【図９】  Ｔ形ストッパーの斜視図である。
【図１０】  図８に示した容器の一部断面図である。
【図１１】  図８に示した容器の梱包時の断面図である。
【図１２】  従来の容器の一例の全体断面図である。
【図１３】  図１２に示した容器のベローズユニットの全体断面図である。
【図１４】  図１２に示した容器の弁の弁室の拡大断面図である。
【図１５】  図１２に示した容器のスリットプレート付近の断面図である。
【図１６】  図１２に示した容器のスリットプレートのスリットの形状を示す説明図である。
【図１７】  図１２に示した容器のピストン部下降時の全体断面図である。
【図１８】  図１２に示した容器の溶液吐出時の全体断面図である。
【図１９】  図１２に示した容器の保管時における全体断面図である。
【符号の説明】
６１…吸い出しパイプ、６１ａ…溝、６３…吸い込みパイプ、
６４…ベローズ、６６…プランジャー、６６ａ…膨出部、
Ｙ…容器本体、Ｐ…ピストンヘッド
【図１】
0004233799.tif 000002
【図２】
0004233799.tif 000003
【図３】
0004233799.tif 000004
【図４】
0004233799.tif 000005
【図５】
0004233799.tif 000006
【図６】
0004233799.tif 000007
【図７】
0004233799.tif 000008
【図８】
0004233799.tif 000009
【図９】
0004233799.tif 000010
【図１０】
0004233799.tif 000011
【図１１】
0004233799.tif 000012
【図１２】
0004233799.tif 000013
【図１３】
0004233799.tif 000014
【図１４】
0004233799.tif 000015
【図１５】
0004233799.tif 000016
【図１６】
0004233799.tif 000017
【図１７】
0004233799.tif 000018
【図１８】
0004233799.tif 000019
【図１９】
0004233799.tif 000020